(57)【要約】【課題】室内機を被空気調和室の壁面に固着された据付板により容易に壁掛け設置できるようにした空気調和機の据付装置を提供する。【解決手段】少なくとも上端を開口して反壁面側に膨出したハ字状の膨出部２と、同膨出部２の相対向する両内側壁３の上端部に形成された前記開口部１に連続する係止孔４とを備え、被空気調和室の壁面に固着された据付板Ｂと、前記膨出部２の相対向する両内側壁３に沿って上下動することにより左右にスライドする一対の係止片５と、同係止片５を出没可能に保持する保持枠６と、前記係止片５を前記膨出部２の相対向する両内側壁３および前記係止孔４に向けて付勢する付勢ばね７とからなる係止機構部８を背面に備えた本体Ａとで構成され、本体Ａを上方にスライドさせることにより、前記一対の係止片５の先端を、前記膨出部２の相対向する両内側壁３で導きながら前記一対の係止孔４に係止して据え付けるようにした。【選択図】　図１
2004053104.tif 000002
【特許請求の範囲】
【請求項１】
少なくとも上端を開口して反壁面側に膨出したハ字状の膨出部と、同膨出部の相対向する両内側壁の上端部に形成された前記開口部に連続する係止孔とを備え、被空気調和室の壁面に固着された据付板と、前記膨出部の相対向する両内側壁に沿って上下動することにより左右にスライドする一対の係止片と、同係止片を出没可能に保持する保持枠と、前記係止片を前記膨出部の相対向する両内側壁および前記係止孔に向けて付勢する付勢ばねとからなる係止機構部を背面に備えた本体とで構成され、
本体を上方にスライドさせることにより、前記一対の係止片の先端を、前記膨出部の相対向する両内側壁で導きながら前記一対の係止孔に係止して据え付けるようにしてなることを特徴とする空気調和機の据付装置。
【請求項２】
前記ハ字状の膨出部および前記係止孔と、これに対応する前記係止機構部とを、上下に設けてなることを特徴とする請求項１に記載の空気調和機の据付装置。
【請求項３】
上下に設けられる前記ハ字状の膨出部および前記係止孔は、一文字としてハ字形状となる位置に配置され、上下に設けられる前記一対の係止機構部は、前記上下の膨出部の相対向する両内側壁および前記係止孔から夫々均等に離間させた位置に配置されてなることを特徴とする請求項２に記載の空気調和機の据付装置。
【請求項４】
前記一対の係止片および前記保持枠の先端に、前記膨出部の相対向する両内側壁に平行な第一傾斜部および第二傾斜部が夫々形成されてなることを特徴とする請求項１に記載の空気調和機の据付装置。
【請求項５】
前記膨出部の相対向する両内側壁の下端部に、下方を拡開した傾斜部または曲面部を連続形成してなることを特徴とする請求項１乃至請求項４の何れかに記載の空気調和機の据付装置。
【請求項６】
前記係止孔は、前記係止片を隙間なく係止し、且つその上端部を露出させることなく収容するように形成されてなることを特徴とする請求項１に記載の空気調和機の据付装置。
【発明の詳細な説明】
【０００１】
【発明の属する技術分野】
本発明は、空気調和機の据付装置に係わり、より詳細には、本体の上部スペースを広く必要としないで室内機を被空気調和室の壁面に固着された据付板により容易に壁掛け設置できるようにした構造に関する。
【０００２】
【従来の技術】
従来の空気調和機の据付装置には、例えば特開２０００−２４１０１６号公報で開示されているように、室内機本体の背面側の両内側面に、互いに対向する支軸を突出させる一方、壁面等に取付けられる据付板の両端に、前記支軸の先端間の長さより少し広い間隔で前記本体側面に対向し壁面等に対し垂直に突出する支持片を設け、同支持片の上部後方に前記支軸を据付状態において係止する係止孔を形成するとともに、下部前方に前記支軸を据付工事時において回動自在に保持する保持孔を設け、同保持孔と前記係止孔との間に、前記支軸が摺動自在に移動できる摺動孔を設けた構成でなる事例があった。
【０００３】
そして、据付工事時においては、前記支軸を、前記保持孔に保持するとともに、据付状態時においては、前記支軸を前記係止孔に係止してなるようにすることにより、据付状態での自由度を上げ、据付工事時の作業性を向上させていた。
【０００４】
しかしながら、室内機本体の背面側には、互いに対向する支軸を突出させるようにするために前記両内側面を形成して、前記据付板の両端に設けられた前記支持片を収容できるように構成することが必要があることから、例えば両端に折曲部を形成していない据付板を使用する場合に比して構造が複雑になってしまったり、また、室内機本体が大型化してしまうなどの欠点を有していた。
【０００５】
【発明が解決しようとする課題】
本発明は、上記問題点に鑑み、本体の上部スペースを広く確保する必要がなく、室内機を被空気調和室の壁面に固着された据付板により容易に壁掛け設置できるようにした空気調和機の据付装置を提供することを目的とする。
【０００６】
【課題を解決するための手段】
本発明は、上記課題を解決するため、少なくとも上端を開口して反壁面側に膨出したハ字状の膨出部と、同膨出部の相対向する両内側壁の上端部に形成された前記開口部に連続する係止孔とを備え、被空気調和室の壁面に固着された据付板と、前記膨出部の相対向する両内側壁に沿って上下動することにより左右にスライドする一対の係止片と、同係止片を出没可能に保持する保持枠と、前記係止片を前記膨出部の相対向する両内側壁および前記係止孔に向けて付勢する付勢ばねとからなる係止機構部を背面に備えた本体とで構成され、
本体を上方にスライドさせることにより、前記一対の係止片の先端を、前記膨出部の相対向する両内側壁で導きながら前記一対の係止孔に係止して据え付けるようにした構成となっている。
【０００７】
また、前記ハ字状の膨出部および前記係止孔と、これに対応する前記係止機構部とを、上下に設けた構成となっている。
【０００８】
また、上下に設けられる前記ハ字状の膨出部および前記係止孔は、一文字としてハ字形状となる位置に配置され、上下に設けられる前記一対の係止機構部は、前記上下の膨出部の相対向する両内側壁および前記係止孔から夫々均等に離間させた位置に配置された構成となっている。
【０００９】
また、前記一対の係止片および前記保持枠の先端に、前記膨出部の相対向する両内側壁に平行な第一傾斜部および第二傾斜部が夫々形成された構成となっている。
【００１０】
また、前記膨出部の相対向する両内側壁の下端部に、下方を拡開した傾斜部または曲面部を連続形成した構成となっている。
【００１１】
更に、前記係止孔は、前記係止片を隙間なく係止し、且つその上端部を露出させることなく収容するように形成された構成となっている。
【００１２】
【発明の実施の形態】
以下、本発明の実施の形態を図面に基づいた実施例として詳細に説明する。
図１は本発明による空気調和機の据付装置の説明図で、（Ａ）は据付板の斜視図、（Ｂ）は室内機本体の背面に設けられた係止機構部の斜視図、（Ｃ）は係止片を係止孔に係止した状態を示す斜視図であり、（Ｄ）は係止片が膨出部の両内側壁により係止孔に導かれる状態を示す図であり、図２は本発明による空気調和機の据付装置の要部説明図で、（Ａ）は係止機構部の断面図であり、（Ｂ）は（Ａ）で示すＤ矢視図である。
【００１３】
図１（Ａ）乃至図１（Ｄ）で示すように、本発明による空気調和機の据付装置は、室内機本体Ａの背面に設けられた係止機構部８を、被空気調和室の壁面に固着された据付板Ｂに形成された係止孔４に係止することにより室内機本体Ａを壁掛け設置する構成となっている。
【００１４】
前記据付板Ｂは、図１（Ａ）で示すように、上端を開口して反壁面側に均一高さで膨出されたハ字状の膨出部２を備えた構成となっており、同膨出部２の相対向する両内側壁３の上端部には、前記開口部１に連続する前記係止孔４が形成されている。
【００１５】
前記係止機構部８は、図２（Ａ）および図２（Ｂ）で示すように、前記膨出部２の相対向する両内側壁３に沿って上下動することにより左右にスライドする左右一対の係止片５と、同係止片５を出没可能に保持する左右一対の保持枠６と、前記係止片５を前記膨出部２の相対向する両内側壁３および前記係止孔４に向けて付勢する付勢ばね７とで構成されてなり、前記係止孔４および前記膨出部２の相対向する両内側壁３に対応して、室内機本体Ａの背面に左右に対をなして設けられるようになっている。
【００１６】
左右一対の前記保持枠６は、先端に対向する前記膨出部２の相対向する両内側壁３に対し略平行な傾斜部６ａを形成し、左右に貫通する断面矩形状の貫通孔ａを備え、基端部の底面に切欠部ｂを備えると共に、先端下部に前記付勢ばね７の一端を係止するばね掛け片６ｂを突設した構成になっている。
【００１７】
前記係止片５は、先端に前記傾斜部６ａに略平行な傾斜部５ａを形成し、前記保持枠６の基端部側から前記貫通孔ａに挿入されてスライド可能に保持され、前記保持枠６の切欠部ｂから突出して前記付勢ばね７の他端を係止する突出片５ｂを備えてなり、前記付勢ばね７の一端を前記ばね掛け片６ｂに係止し、他端を前記突出片５ｂに係止することにより、図２（Ａ）および図２（Ｂ）の矢印Ｅで示すように、前記係止片５の傾斜部５ａを前記膨出部２の相対向する両内側壁３および前記係止孔４に向かうように、常時付勢されるようにした構成になっている。
【００１８】
なお、前記突出片５ｂは、壁掛け設置時に前記膨出部２の相対向する両内側壁３によって導かれる場合を除いて、前記付勢ばね７で付勢されることにより、前記突出片５ｂが前記切欠部ｂの端部ｃに当接して位置決めされるようになっており、位置決めされた時の前記傾斜部５ａの突出位置が、下端部に図１（Ｄ）で示す曲面部３ａを連続形成した前記膨出部２の相対向する両内側壁３に対し下方から円滑に係合できるように設定された構成になっている。
【００１９】
なお、前記膨出部２は、その加工性を良好にするため、同膨出部２の上端に設けられた前記開口部１に対向して、下端も開口させた状態で膨出させるようにしてもよく、その場合、前記傾斜部５ａは、前記下端の開口縁に係合させたのち、前記膨出部２の相対向する両内側壁３から前記係止孔４へと導かれるようことになる。
【００２０】
以上の構成により、次にその動作について説明する。
室内機本体Ａを、被空気調和室の壁面に固着された前記据付板Ｂにより壁掛け設置する際、室内機本体Ａを前記据付板Ｂに沿わせて上方に押し上げることにより、図１（Ｄ）で示すように、室内機本体Ａの背面に設けられた前記保持枠６が上方にスライドし、前記係止片５が前記付勢ばね７の付勢力に抗してスライドしながら、前記膨出部２の相対向する両内側壁３により前記係止孔４に向けて導かれることになる。
【００２１】
前記係止片５が前記膨出部２の相対向する両内側壁３によって導かれたのち、図２（Ａ）および図２（Ｂ）で示す前記付勢ばね７の付勢力により、図１（Ｃ）および図１（Ｄ）で示すように、前記係止孔４に対し、いきなり、切れ味よく係止することになる。
【００２２】
その際、前記係止片５は、前記突出片５ｂが前記切欠部ｂの端部ｃに当接して位置決めされ、前記係止孔４に係止させるためのスライド量がコントロールされることになる。
【００２３】
これにより、図１（Ｂ）で示す左右一対の前記係止片５が、図１（Ａ）で示す左右一対の前記係止孔４に容易に、且つ正確に係止されるようになって、上記に説明した従来技術における問題点のように、前記据付板Ｂの構造が複雑になってしまったり、室内機本体Ａが大型化してしまうといった欠点をなくして、室内機本体Ａを壁掛け設置するための作業性を向上させることができる。
【００２４】
なお、前記係止孔４は、前記係止片５を隙間なく係止し、且つその上端部を露出させることなく収容するように形成されており、室内機本体Ａを取り外す時には、同室内機本体Ａを上方に押し上げて前記係止孔４から前記係止片５を離脱させることによって容易に取り外しできるので、室内機本体Ａの上部スペースは、前記係止片５を前記係止孔４から離脱させるだけのスペースが確保できればよく、このスペースは、室内機本体Ａの上面に設けられる吸込口のために必要なスペースと同じくらいと考えられる。
【００２５】
このことにより、室内機本体Ａは、機能上問題が生じない範囲で、天井面にできるだけ近接させた状態で壁掛け設置できることになる。
【００２６】
そして、前記係止孔４および前記膨出部２の両内側壁３と、これに対応する前記係止機構部８とは、図１（Ａ）および図１（Ｂ）で示すように上下に複数づつ設けることによって、室内機本体Ａを正確に、且つ強固に壁掛け設置できることになる。
【００２７】
更に、下位に設けられる前記係止孔４および前記膨出部２の相対向する両内側壁３は、上位に設けられた前記係止孔４および前記膨出部２の相対向する両内側壁３の延長上に、一文字としてハ字形状となる位置に配置され、上下に設けられる前記一対の係止機構部８は、前記上下の膨出部２の相対向する両内側壁３に対し夫々均等に離間させた位置に配置された構成となっており、また、前記係止片４の先端に、前記膨出部２の相対向する両内側壁３に平行なハ字状の第一傾斜部５ａが形成されると共に、前記膨出部２の相対向する両内側壁３に対向する前記保持枠６の先端に、前記膨出部２の相対向する両内側壁３に平行なハ字状の第二傾斜部６ａが形成された構成となっているので、これらによって、前記係止片５が前記膨出部２の相対向する両内側壁３で円滑に導かれながら、前記係止孔４に正確に切れ味よく係止されることになる。
【００２８】
【発明の効果】
以上説明したように、本発明によると、本体の上部スペースを広く確保する必要がなく、室内機を被空気調和室の壁面に固着された据付板により容易に壁掛け設置できるようにした空気調和機の据付装置となる。
【図面の簡単な説明】
【図１】本発明による空気調和機の据付装置の説明図で、（Ａ）は据付板の斜視図であり、（Ｂ）は室内機本体の背面に設けられた係止機構部の斜視図であり、（Ｃ）は係止片を係止孔に係止した状態を示す斜視図であり、（Ｄ）は係止片が膨出部の両内側壁により係止孔に導かれる状態を示す図である。
【図２】本発明による空気調和機の据付装置の要部説明図で、（Ａ）は係止機構部の断面図であり、（Ｂ）は（Ａ）で示すＤ矢視図である。
【符号の説明】
Ａ　室内機本体
Ｂ　据付板
１　開口部
２　膨出部
３　内側壁
３ａ　曲面部
４　係止孔
４ａ　第一傾斜部
５　係止片
６　保持枠
６ａ　第二傾斜部
７　付勢ばね
８　係止機構部
【図１】
2004053104.tif 000003
【図２】
2004053104.tif 000004
【手続補正書】
【提出日】平成14年7月25日(2002.7.25)
【手続補正１】
【補正対象書類名】明細書
【補正対象項目名】発明の詳細な説明
【補正方法】変更
【補正の内容】
【発明の詳細な説明】
【０００１】
【発明の属する技術分野】
本発明は、空気調和機の据付装置に係わり、より詳細には、本体の上部スペースを広く必要としないで室内機を被空気調和室の壁面に固着された据付板により容易に壁掛け設置できるようにした構造に関する。
【０００２】
【従来の技術】
従来の空気調和機の据付装置には、例えば特開２０００−２４１０１６号公報で開示されているように、室内機本体の背面側の両内側面に、互いに対向する支軸を突出させる一方、壁面等に取付けられる据付板の両端に、前記支軸の先端間の長さより少し広い間隔で前記本体側面に対向し壁面等に対し垂直に突出する支持片を設け、同支持片の上部後方に前記支軸を据付状態において係止する係止孔を形成するとともに、下部前方に前記支軸を据付工事時において回動自在に保持する保持孔を設け、同保持孔と前記係止孔との間に、前記支軸が摺動自在に移動できる摺動孔を設けた構成でなる事例があった。
【０００３】
そして、据付工事時においては、前記支軸を、前記保持孔に保持するとともに、据付状態時においては、前記支軸を前記係止孔に係止してなるようにすることにより、据付状態での自由度を上げ、据付工事時の作業性を向上させていた。
【０００４】
しかしながら、室内機本体の背面側には、互いに対向する支軸を突出させるようにするために前記両内側面を形成して、前記据付板の両端に設けられた前記支持片を収容できるように構成することが必要があることから、例えば両端に折曲部を形成していない据付板を使用する場合に比して構造が複雑になってしまったり、また、室内機本体が大型化してしまうなどの欠点を有していた。
【０００５】
【発明が解決しようとする課題】
本発明は、上記問題点に鑑み、本体の上部スペースを広く確保する必要がなく、室内機を被空気調和室の壁面に固着された据付板により容易に壁掛け設置できるようにした空気調和機の据付装置を提供することを目的とする。
【０００６】
【課題を解決するための手段】
本発明は、上記課題を解決するため、少なくとも上端を開口して反壁面側に膨出したハ字状の膨出部と、同膨出部の相対向する両内側壁の上端部に形成された前記開口部に連続する係止孔とを備え、被空気調和室の壁面に固着された据付板と、前記膨出部の相対向する両内側壁に沿って上下動することにより左右にスライドする一対の係止片と、同係止片を出没可能に保持する保持枠と、前記係止片を前記膨出部の相対向する両内側壁および前記係止孔に向けて付勢する付勢ばねとからなる係止機構部を背面に備えた本体とで構成され、
本体を上方にスライドさせることにより、前記一対の係止片の先端を、前記膨出部の相対向する両内側壁で導きながら前記一対の係止孔に係止して据え付けるようにした構成となっている。
【０００７】
また、前記ハ字状の膨出部および前記係止孔と、これに対応する前記係止機構部とを、上下に設けた構成となっている。
【０００８】
また、上下に設けられる前記ハ字状の膨出部および前記係止孔は、一文字としてハ字形状となる位置に配置され、上下に設けられる前記一対の係止機構部は、前記上下の膨出部の相対向する両内側壁および前記係止孔から夫々均等に離間させた位置に配置された構成となっている。
【０００９】
また、前記一対の係止片および前記保持枠の先端に、前記膨出部の相対向する両内側壁に平行な第一傾斜部および第二傾斜部が夫々形成された構成となっている。
【００１０】
また、前記膨出部の相対向する両内側壁の下端部に、下方を拡開した傾斜部または曲面部を連続形成した構成となっている。
【００１１】
更に、前記係止孔は、前記係止片を隙間なく係止し、且つその上端部を露出させることなく収容するように形成された構成となっている。
【００１２】
【発明の実施の形態】
以下、本発明の実施の形態を図面に基づいた実施例として詳細に説明する。
図１は本発明による空気調和機の据付装置の説明図で、（Ａ）は据付板の斜視図、（Ｂ）は室内機本体の背面に設けられた係止機構部の斜視図、（Ｃ）は係止片を係止孔に係止した状態を示す斜視図であり、（Ｄ）は係止片が膨出部の両内側壁により係止孔に導かれる状態を示す図であり、図２は本発明による空気調和機の据付装置の要部説明図で、（Ａ）は係止機構部の断面図であり、（Ｂ）は（Ａ）で示すＤ矢視図である。
【００１３】
図１（Ａ）乃至図１（Ｄ）で示すように、本発明による空気調和機の据付装置は、室内機本体Ａの背面に設けられた係止機構部８を、被空気調和室の壁面に固着された据付板Ｂに形成された係止孔４に係止することにより室内機本体Ａを壁掛け設置する構成となっている。
【００１４】
前記据付板Ｂは、図１（Ａ）で示すように、上端を開口して反壁面側に均一高さで膨出されたハ字状の膨出部２を備えた構成となっており、同膨出部２の相対向する両内側壁３の上端部には、前記開口部１に連続する前記係止孔４が形成されている。
【００１５】
前記係止機構部８は、図２（Ａ）および図２（Ｂ）で示すように、前記膨出部２の相対向する両内側壁３に沿って上下動することにより左右にスライドする左右一対の係止片５と、同係止片５を出没可能に保持する左右一対の保持枠６と、前記係止片５を前記膨出部２の相対向する両内側壁３および前記係止孔４に向けて付勢する付勢ばね７とで構成されてなり、前記係止孔４および前記膨出部２の相対向する両内側壁３に対応して、室内機本体Ａの背面に左右に対をなして設けられるようになっている。
【００１６】
左右一対の前記保持枠６は、先端に対向する前記膨出部２の相対向する両内側壁３に対し略平行な傾斜部６ａを形成し、左右に貫通する断面矩形状の貫通孔ａを備え、基端部の底面に切欠部ｂを備えると共に、先端下部に前記付勢ばね７の一端を係止するばね掛け片６ｂを突設した構成になっている。
【００１７】
前記係止片５は、先端に前記傾斜部６ａに略平行な傾斜部５ａを形成し、前記保持枠６の基端部側から前記貫通孔ａに挿入されてスライド可能に保持され、前記保持枠６の切欠部ｂから突出して前記付勢ばね７の他端を係止する突出片５ｂを備えてなり、前記付勢ばね７の一端を前記ばね掛け片６ｂに係止し、他端を前記突出片５ｂに係止することにより、図２（Ａ）および図２（Ｂ）の矢印Ｅで示すように、前記係止片５の傾斜部５ａを前記膨出部２の相対向する両内側壁３および前記係止孔４に向かうように、常時付勢されるようにした構成になっている。
【００１８】
なお、前記突出片５ｂは、壁掛け設置時に前記膨出部２の相対向する両内側壁３によって導かれる場合を除いて、前記付勢ばね７で付勢されることにより、前記突出片５ｂが前記切欠部ｂの端部ｃに当接して位置決めされるようになっており、位置決めされた時の前記傾斜部５ａの突出位置が、下端部に図１（Ｄ）で示す曲面部３ａを連続形成した前記膨出部２の相対向する両内側壁３に対し下方から円滑に係合できるように設定された構成になっている。
【００１９】
なお、前記膨出部２は、その加工性を良好にするため、同膨出部２の上端に設けられた前記開口部１に対向して、下端も開口させた状態で膨出させるようにしてもよく、その場合、前記傾斜部５ａは、前記下端の開口縁に係合させたのち、前記膨出部２の相対向する両内側壁３から前記係止孔４へと導かれるようことになる。
【００２０】
以上の構成により、次にその動作について説明する。
室内機本体Ａを、被空気調和室の壁面に固着された前記据付板Ｂにより壁掛け設置する際、室内機本体Ａを前記据付板Ｂに沿わせて上方に押し上げることにより、図１（Ｄ）で示すように、室内機本体Ａの背面に設けられた前記保持枠６が上方にスライドし、前記係止片５が前記付勢ばね７の付勢力に抗してスライドしながら、前記膨出部２の相対向する両内側壁３により前記係止孔４に向けて導かれることになる。
【００２１】
前記係止片５が前記膨出部２の相対向する両内側壁３によって導かれたのち、図２（Ａ）および図２（Ｂ）で示す前記付勢ばね７の付勢力により、図１（Ｃ）および図１（Ｄ）で示すように、前記係止孔４に対し、いきなり、切れ味よく係止することになる。
【００２２】
その際、前記係止片５は、前記突出片５ｂが前記切欠部ｂの端部ｃに当接して位置決めされ、前記係止孔４に係止させるためのスライド量がコントロールされることになる。
【００２３】
これにより、図１（Ｂ）で示す左右一対の前記係止片５が、図１（Ａ）で示す左右一対の前記係止孔４に容易に、且つ正確に係止されるようになって、上記に説明した従来技術における問題点のように、前記据付板Ｂの構造が複雑になってしまったり、室内機本体Ａが大型化してしまうといった欠点をなくして、室内機本体Ａを壁掛け設置するための作業性を向上させることができる。
【００２４】
なお、前記係止孔４は、前記係止片５を隙間なく係止し、且つその上端部を露出させることなく収容するように形成されており、室内機本体Ａを取り外す時には、同室内機本体Ａを上方に押し上げて前記係止孔４から前記係止片５を離脱させることによって容易に取り外しできるので、室内機本体Ａの上部スペースは、前記係止片５を前記係止孔４から離脱させるだけのスペースが確保できればよく、このスペースは、室内機本体Ａの上面に設けられる吸込口のために必要なスペースと同じくらいと考えられる。
【００２５】
このことにより、室内機本体Ａは、機能上問題が生じない範囲で、天井面にできるだけ近接させた状態で壁掛け設置できることになる。
【００２６】
そして、前記係止孔４および前記膨出部２の両内側壁３と、これに対応する前記係止機構部８とは、図１（Ａ）および図１（Ｂ）で示すように上下に複数づつ設けることによって、室内機本体Ａを正確に、且つ強固に壁掛け設置できることになる。
【００２７】
更に、下位に設けられる前記係止孔４および前記膨出部２の相対向する両内側壁３は、上位に設けられた前記係止孔４および前記膨出部２の相対向する両内側壁３の延長上に、一文字としてハ字形状となる位置に配置され、上下に設けられる前記一対の係止機構部８は、前記上下の膨出部２の相対向する両内側壁３に対し夫々均等に離間させた位置に配置された構成となっており、また、前記係止片４の先端に、前記膨出部２の相対向する両内側壁３に平行なハ字状の第一傾斜部５ａが形成されると共に、前記膨出部２の相対向する両内側壁３に対向する前記保持枠６の先端に、前記膨出部２の相対向する両内側壁３に平行なハ字状の第二傾斜部６ａが形成された構成となっているので、これらによって、前記係止片５が前記膨出部２の相対向する両内側壁３で円滑に導かれながら、前記係止孔４に正確に切れ味よく係止されることになる。
【００２８】
【発明の効果】
以上説明したように、本発明によると、本体の上部スペースを広く確保する必要がなく、室内機を被空気調和室の壁面に固着された据付板により容易に壁掛け設置できるようにした空気調和機の据付装置となる。